(57)【特許請求の範囲】
【請求項１】
上下方向および横方向に多数の仕切部を形成した空隙率の大きい立体形状からなる空隙構造体に、該空隙構造体の上面が開口して内側に窪んで収納部となる凹窩部が形成されており、該凹窩部内に保護シートを敷設して収納部を形成し、該収納部内に空隙構造体よりも比重の異なる充填物を充填してなる空隙構造体において、
透水シートで覆われた凹窩部からなる収納部にヘドロを充填し、空隙構造体の外側を遮水シートで覆って前記透水シートとの間で形成される外側の収納部に水を抜き取って外部へ排水し、該外側の収納部にコンクリートを充填してブロックを形成してなることを特徴とする空隙構造体。
【請求項２】
凹窩部に対応する個所に上下方向および横方向に多数の仕切部が形成されており、透水シートと遮水シートとで収納部とその外側を覆う収納部とに形成してなることを特徴とする請求項１に記載の空隙構造体。
【発明の詳細な説明】
【０００１】
【発明の属する技術分野】
この発明は空隙率の大きい空隙構造体を、その構成素材の比重より大きくし、または小さくして用いる空隙構造体に関する。
【０００２】
【従来の技術】
従来、例えば、特公平４−２６６４８号や特公平４−３５５８０号に開示されているように、多数の孔を有する底部及び周側板で構成された容器状のブロックを縦横かつ上下に連結して空隙率の高い空隙構造体を用いる構成や、複数の区画に仕切った区画枠体を縦横且つ上下に連設して空隙率の高い空隙構造体を用いる構成が知られている。これらの空隙構造体は、空隙率が高いので、地中に埋設したり水中に没入させて使用することができるが、その構成素材の比重を変えることができず、利用範囲が限定されるという問題点があった。
【０００３】
【発明が解決しようとする課題】
この発明は上記事情に鑑みて創案されたものであって、その主たる課題は、上下方向および横方向に多数の仕切部を形成した空隙率の大きい立体形状からなる空隙構造体の比重を重くしたり、軽くしたりすることができる構造を提供することにある。
【０００４】
【課題を解決するための手段】
この発明は、上記課題を解決するために、
上下方向および横方向に多数の仕切部を形成した空隙率の大きい立体形状からなる空隙構造体に、該空隙構造体の上面が開口して内側に窪んで収納部となる凹窩部が形成されており、該凹窩部内に保護シートを敷設して収納部を形成し、該収納部内に空隙構造体よりも比重の異なる充填物を充填してなる空隙構造体において、
透水シートで覆われた凹窩部からなる収納部にヘドロを充填し、空隙構造体の外側を遮水シートで覆って前記透水シートとの間で形成される外側の収納部に水を抜き取って外部へ排水し、該外側の収納部にコンクリートを充填してブロックを形成してなる、という技術的手段を講じている。
【０００５】
また、請求項２の発明では、
前記凹窩部に対応する個所に上下方向および横方向に多数の仕切部が形成されており、透水シートと遮水シートとで収納部とその外側を覆う収納部とに形成してなる、という技術的手段を講じている。
【０００６】
【発明の実施の形態】
以下に、この発明の空隙構造体の好適実施例について図面を参照しながら説明する。
空隙構造体は、上下方向および横方向に多数の仕切部を形成した空隙率の大きい立体形状からなっており、その中途個所において上面が開口して内側に窪んで収納部となる凹窩部が形成されている。そして、この凹窩部内には、充填物が充填される。
【０００７】
本実施例では空隙構造体を形成する仕切部は、特公平４−２６６４８号で示されたように、多数の容器状部材を連結した構成からなっている。
即ち、容器状部材１は、図１に示すように、合成樹脂（例えばポリプロピレン樹脂）製のボックスからなって、周壁面３は底面２に向かって漸次内側に傾斜するテーパ面に形成されてスタッキング可能となっており、底面２並びに周壁面３には透孔４、４、４・・が形成されている。
【０００８】
更に、本実施例の容器状部材１では、底面２から上面に達する中空で截頭円錐状の中空の支柱５を突設している。そして、図示例の容器状部材１では、上部のフランジ６のコーナーと、底面２のコーナーにそれぞれ掛止用の縦孔（図示せず）が穿設される等の連結手段７が設けられている。
そして、容器状部材１は、種々構造の継手６、例えば前記縦孔７に係止する掛止軸を有するものや、支柱５に嵌合し、あるいは外嵌する筒状のもの等を用いて、多数の容器状部材相互を前後左右方向に且つ上下方向に連結することができるようになっている。
【０００９】
この容器状部材１は上下方向および横方向に相互に連結されて、図２に示すように、所望の立体形状の空隙構造体１０が組み立てられる。
ここで容器状部材１は、上下方向に連結する際には上下を反転させて上下対称となるように配置して組み立てている。
このようにして組み立てられる空隙構造体１０の立体形状は、特に限定されないが、用途に応じて例えば、平面Ｉ形、Ｔ形、下駄の歯型、Ｌ形、Ｅ形、コ形などに成形される。
【００１０】
この空隙構造体１３の中途位置にはその上面で開口する立方体または直方体あるいはこの組み合わせ形状からなる凹窩部１１が形成される。
この凹窩部１１は、容器状部材１を連結して空隙構造体１０を組み立てる際に、所定個所に容器状部材１を連結しない空間を空けておくことによって容易に形成することができる。
この凹窩部１１は、１個所であっても複数個所であってもよいが、バランスがとれるように重心位置を基準として配置することが好ましい。
【００１１】
また、この空隙構造体１０は、地中に埋設して貯水槽や、貯留浸透層として用いる場合には、空隙構造体の外周を遮水シートまたは透水シートＳ１で覆って埋設する（図３参照）。
この際に前記凹窩部１１には、その内周面を保護シートＳ２で覆って充填物１２を充填する。
【００１２】
保護シートＳ２は透水性を有しており、充填物に混じる水分を凹窩部１１から流下させることができる。
また保護シートＳ２は、凹窩部の内周面は多数の透孔４や隙間が空いているので、充填物１２が透孔４から抜け落ちないようにするためである。
従って、充填物１２が透孔４よりも大きいブロック片の場合には凹窩部１１の内周面を保護シートで覆わなくてもよい。
【００１３】
空隙構造体１０を水中に設置する参考例の場合には、図４で示すように、空隙構造体の外周を保護シートで覆わなくてもよい。
透孔４や容器状部材間の隙間が設けられているので、小さい魚や貝類などの魚礁として利用することができる。また、水中に設置する場合は、空隙構造体１０の凹窩部１１に保護シートＳ２を敷いて水を入れた状態で、空隙構造体１０を所定位置に設置していもよい。あるいは、凹窩部１１に砕石などを充填して錘とし、海中に沈めても固定してもよい。
【００１４】
この場合、空隙構造体１０は、各容器状部材１の連結からなっているので、一部の個所の容器状部材１が岩礁などで破損されても、他の容器状部材１には影響を及ぼすことがない。また、空隙構造体１０の浮力を高めるために、発泡スチロールなどの発泡合成樹脂その他の浮力の軽い物質を空隙構造体１０の空隙部分に充填して、全体の浮力を軽くするようにしてもよい。
【００１５】
図５に示す別の参考例では、凹窩部１１に遮水シートＳ２を敷き、充填物１２として水を充填し、凹窩部１１の上部を蓋１３で覆って塞ぐようにして、蓋１３の上部を床面として利用してもよい。このように、蓋１３の開閉により、充填された水を導入したり排出したりすることができる。また、遮水シートＳ２を外して水を抜いてもよい。
【００１６】
図６に示す更に別の参考例では、図５の蓋を外して、凹窩部１１内に砂の層１２ａと、砕石の層１２ｂを二層に積層した構造からなっている。そこで、例えば、図５のように凹窩部１１に水を充填して水中に浮かして水中を移動させ、次いで設置場所で蓋１３を外すと共に、水を抜き、凹窩部１１に比重の重い物を充填して図６に示すように錘とし、空隙構造体１０を水底に固定することができる。
【００１７】
図７は、空隙構造体１０を消波ブロックとして海底に設置した場合を示すが、この場合、空隙構造体１０は、中央を高くして前後が中央に向かって傾斜するテーパ形状からなっており、波はテーパ面にぶつかると共に、空隙構造体１０の透孔を通り抜けるので、波の力を吸収して減衰させることができる。
【００１８】
次ぎに、図８を参照して、空隙構造体１０を、波打ち際で堤として用いる場合を示す。図示例では、空隙構造体１０を略平面Ｔ字状に組み立てる。
そして、その中央に適宜間隔で複数（図示例では４個所）の凹窩部１１からなる収納部を形成する。凹窩部１１には、浜辺に近い側からダンプトラックＤで砂を中途位置まで充填し、次いでその上に砕石を充填して凹窩部の上面まで充填し、舗装する。
このようにして、空隙構造体の凹窩部の上面に舗装路面を形成することができる。
【００１９】
この路面上をダンプトラックＤが砂や砕石を運んで走行し、その先の凹窩部１１の空隙に前記と同様に砂の層と砕石の層とを積層して路面を延ばしていく。
また沖側の凹窩部１１の空隙には、保護シートを敷いて、海砂を汲み上げて凹窩部内に充填する。
そして空隙構造体１０にＴ状の舗装された路面を形成することができる。これにより、空隙構造体１０の周囲に砂溜まりを造り、海岸の砂が浸食されるのを防ぐことができる。
【００２０】
また、これら水中に構築する空隙構造体は、波消提、ヨット係留場、魚貝養殖水中仕切堰、釣用中州、魚礁等を容易に構築することができる。
この場合、水没部分は水流の通りが良く、海藻、魚の巣となる。またヨット係留場等では、長手方向の一部は浮橋状に構成することができる。更に魚貝養殖水中仕切堰等では内外壁にあたる面において、各容器状部材間の隙間に網或いは網板等を張設或いは嵌装させることができる。
【００２１】
図９に示す異なる参考例の空隙構造体では、海底に設置して砂溜まりをつくるために用いた場合を示す。
この空隙構造体１０には長手方向に沿って複数の凹窩部１１が形成されている。
そして凹窩部１１内には砕石が充填物１２として充填される。
この際に砕石が散逸しないように全体の外周をネットや透水シートで覆ってもよい。空隙構造体１０の上部に砕石の層１６を形成しており、水が通りやすくなっている。
この空隙構造体１０は、大潮と満潮の間に露出する砂浜１７内に埋設される。
【００２２】
次ぎに、図１０に本実施例の空隙構造体１０の作業工程を示す。
前記凹窩部１１に透水シートＳ２を敷いて充填物１２としてのヘドロを充填する（図１０（ａ）参照）。
ヘドロ中の水分は透水シートＳ２を介して下方へ流下し、外側が遮水シートＳ１で覆われて外側の収納部１８となる容器状部材内に溜まる。
【００２３】
そこで、揚水ポンプを用いるなどして、外側の収納部１８の上部から水抜きをする（図１０（ｂ）参照）。
次いで、容器状部材内へコンクリート１９を流し込（図１０（ｃ）参照）んで錘とし、これを保護シートで覆って海底へ沈める。この際に凹窩部１１の上面は図示しない蓋部材で覆って密封してもよい。
【００２４】
図１１では、凹窩部１１の個所にも容器状部材を連結しておき、凹窩部１１との境に対応する個所に保護シートＳ２を敷設してある（図１１（ａ）参照）。
そして前記と同様に仕切られた収納部となる凹窩部１１にヘドロを充填し外側の収納部１８からは水を抜き（図１１（ｂ）参照）、コンクリート１９を流し込んで（図１１（ｃ）参照）ブロックとして使用することができる。その他の構成は前記実施例と同様である。
【００２５】
前記実施例では容器状部材を多数連結して、空隙構造体の仕切部を形成した場合を例示したが、この発明では、容器状部材に代えて、多角形状の枠体や、アングル状や適宜断面形状のプレス材、空間を形成する空間材などを用いてこれらを多数組み合わせ、あるいは仕切片を一体成形することにより成形することができる。
その他、この発明の要旨を変更しない範囲で種々設計変更しうること勿論である。
【００２６】
【発明の効果】
この発明は上記構成からなっているので、空隙率が大きくても軽く、容易に移動させることが出来、また解体して移動させることができる。
砂止め、或いは波消し等、一定の大きさを必要とする構築物を短期日で構築することができ、強度にも優れている。重いブロックなどを使用しなくても大きな構造を構築させることができるので、構築しにくかった水中、磯部などに大きな構築構造を容易に構築させることができる。
【図面の簡単な説明】
【図１】  容器状部材の連結状態を示す側断面図である。
【図２】  容器状部材の連結完了状態の側断面図である。
【図３】  充填物が充填された空隙構造体を示す側断面図である。
【図４】  参考例の空隙構造体を水中に接地する場合の側断面図である。
【図５】  別の参考例の空隙構造体で凹窩部に蓋材を設けた場合の空隙構造体の側断面図である。
【図６】  更に別の参考例の空隙構造体で充填物を多層とした場合の空隙構造体の側断面図である。
【図７】  海中へ空隙構造体を設置した場合の概略側面図である。
【図８】  砂止めとした空隙構造体の平面図である。
【図９】  砂の溜まりを造るために海浜に埋設した異なる参考例の空隙構造体の側断面図である。
【図１０】  （ａ）〜（ｃ）は本実施例の空隙構造体のヘドロを充填したコンクリートブロックの作業工程を説明する図である。
【図１１】  （ａ）〜（ｃ）は異なる実施例の空隙構造体のヘドロを充填したコンクリートブロックの作業工程を説明する図である。
【符号の説明】
１  容器状部材
２  底面
３  周壁面
４  透孔
５  支柱
６  フランジ
１０  空隙構造体
１１  凹窩部
１２  充填物
１３  蓋材
１４  凹窩部
【図１】
0004109387.tif 000002
【図２】
0004109387.tif 000003
【図３】
0004109387.tif 000004
【図４】
0004109387.tif 000005
【図５】
0004109387.tif 000006
【図６】
0004109387.tif 000007
【図７】
0004109387.tif 000008
【図８】
0004109387.tif 000009
【図９】
0004109387.tif 000010
【図１０】
0004109387.tif 000011
【図１１】
0004109387.tif 000012